【手続補正書】
【提出日】平成18年10月31日(2006.10.31)
【手続補正１】
【補正対象書類名】特許請求の範囲
【補正対象項目名】全文
【補正方法】変更
【補正の内容】
【特許請求の範囲】
【請求項１】
無機−有機ハイブリッド（ＩＯＨ）であって、
（ｉ）  膨張性又は膨潤性の層状無機成分；及び
（ｉｉ）少なくとも１つのイオン性有機成分と、該無機成分の層の間にインターカレーションされるか及び／又はそれと結合される１つ又は複数の中性有機成分とを含む有機成分
を含み、該イオン性又は中性有機成分が、吸熱的に分解若しくは昇華するか、分解によって低燃焼性の揮発性物質を放出するか、及び／又は熱分解若しくは燃焼の際に有機化学種の炭化を誘発することができる、無機−有機ハイブリッド（ＩＯＨ）。
【請求項２】
前記無機成分が、層内部の元素の同形置換によって正又は負に帯電された、請求項１に記載のＩＯＨ。
【請求項３】
前記無機成分が、１：１層状ケイ酸塩構造、２：１層状ケイ酸塩構造、一般式がＭｇ6Ａｌ3.4（ＯＨ）18.8（ＣＯ3）1.7・Ｈ2Ｏの複水酸化物、及び合成して調製した層状材料から選択された、請求項１又は２に記載のＩＯＨ。
【請求項４】
前記無機成分が、フィロケイ酸塩の天然又は合成の類似体である、請求項１〜３のいずれか１項に記載のＩＯＨ。
【請求項５】
前記フィロケイ酸塩の天然又は合成の類似体がスメクタイト粘土である、請求項４に記載のＩＯＨ。
【請求項６】
前記スメクタイト粘土が、モンモリロナイト、ノントロナイト、バイデライト、ヴォルコンスキー石、ヘクトライト、ベントナイト、サポナイト、ソーコナイト、マガディアイト、ケニアイト、ラポナイト、バーミキュライト、合成ミクロマイカ及び合成ヘクトライトから選択された、請求項５に記載のＩＯＨ。
【請求項７】
前記天然のフィロケイ酸塩が、ベントナイト、モンモリロナイト及びヘクトライトから選択された、請求項５又は６に記載のＩＯＨ。
【請求項８】
前記フィロケイ酸塩が、５ｎｍ未満のプレートレット厚さと、１０：１を超えるアスペクト比とを有する、請求項４〜７のいずれか１項に記載のＩＯＨ。
【請求項９】
前記無機成分が、電荷をバランスさせるための層間の又は交換可能な金属カチオンを含む、請求項１〜８のいずれか１項に記載のＩＯＨ。
【請求項１０】
前記金属カチオンが、アルカリ金属及びアルカリ土類金属から選択された、請求項９に記載のＩＯＨ。
【請求項１１】
前記アルカリ金属又はアルカリ土類金属が、Ｎａ+、Ｋ+、Ｍｇ2+及びＣａ2+から選択された、請求項１０に記載のＩＯＨ。
【請求項１２】
前記無機成分のカチオン交換容量が、４００ミリ当量／１００グラム未満である、請求項９〜１１のいずれか１項に記載のＩＯＨ。
【請求項１３】
前記イオン性有機成分が、前記無機成分の交換可能な金属イオンと交換された、請求項９〜１２のいずれか１項に記載のＩＯＨ。
【請求項１４】
前記イオン性化学種が、１つ又は複数のオニウムイオンを含有する、請求項１〜１３のいずれか１項に記載のＩＯＨ。
【請求項１５】
前記１つ又は複数のオニウムイオンを含有するイオン性化学種が、脂肪族、芳香族又はアリール−脂肪族のアミン、ホスフィン又はスルフィドのアンモニウム、ホスホニウム又はスルホニウム誘導体である、請求項１４に記載のＩＯＨ。
【請求項１６】
前記イオン性又は中性有機成分が、窒素系分子の中性又はイオン性誘導体である、請求項１〜１５のいずれか１項に記載のＩＯＨ。
【請求項１７】
前記窒素系分子がトリアジン系化学種である、請求項１６に記載のＩＯＨ。
【請求項１８】
前記トリアジン系化学種が、メラミン、トリフェニルメラミン、メラム（１，３，５−トリアジン−２，４，６−トリアミン−ｎ−（４，６−ジアミノ−１，３，５−トリアジン−イル））、メレム（（−２，５，８−トリアミノ−１，３，４，６，７，９，９ｂ−ヘプタアザフェナレン））、メロン（ポリ｛８−アミノ−１，３，４，６，７，９，９ｂ−ヘプタアザフェナレン−２，５−ジイル）イミノ｝）、ビス及びトリアジリジニルトリアジン、トリメチルシリルトリアジン、シアヌル酸メラミン、フタル酸メラミン、リン酸メラミン、亜リン酸メラミン、メラミンフタルイミド、リン酸ジメラミン、ホスファジン、トリアジンとホスファジンの反復単位を有する低分子量ポリマー、並びにイソシアヌル酸及びその塩又は誘導体から選択された、請求項１７に記載のＩＯＨ。
【請求項１９】
前記イソシアヌル酸及びその塩又は誘導体が、イソシアヌル酸、シアヌル酸、シアヌル酸トリエチル、シアヌル酸メラミン、シアヌル酸トリグリジジル、イソシアヌル酸トリアリル、トリクロロイソシアヌル酸、１，３，５−トリス（２−ヒドロキシエチル）トリアジン−２，４，６−トリオン、ヘキサメチレンテトラミン、シアヌル酸メラム、シアヌル酸メレム及びシアヌル酸メロンから選択された、請求項１８に記載のＩＯＨ。
【請求項２０】
前記有機成分がリン酸又はホウ酸の誘導体である、請求項１６〜１９のいずれか１項に記載のＩＯＨ。
【請求項２１】
前記リン酸又はホウ酸の誘導体が、ポリリン酸アンモニア、ポリリン酸メラミン、リン酸メラミン及びホウ酸アンモニウムから選択された、請求項２０に記載のＩＯＨ。
【請求項２２】
前記イオン性有機成分が、無機成分と有機成分の間の適合性及び分散を改善することができる他のイオン性化合物と組み合わせて使用される、請求項１〜２１のいずれか１項に記載のＩＯＨ。
【請求項２３】
前記他のイオン性化合物が、疎水性のアルキル又は芳香族部分とともに親水性のイオン基を含む両新媒性の分子である、請求項２２に記載のＩＯＨ。
【請求項２４】
１つ又は複数のカップリング試薬をさらに含む、請求項１〜２３のいずれか１項に記載のＩＯＨ。
【請求項２５】
前記カップリング試薬が、有機官能基化したシラン、ジルコン酸塩及びチタン酸塩から選択された、請求項２４に記載のＩＯＨ。
【請求項２６】
前記シランのカップリング試薬が、アミノ、エポキシ、イソシアネート、ヒドロキシル、チオール、メルカプト及び／又はメタクリルの反応性部分によって官能基化されるか、又はトリアジン誘導体、長鎖アルキル、芳香族若しくはアルキル芳香族の部分に基づく官能基を含むよう改質されたトリ−アルコキシ、アセトキシ又はハロシランである、請求項２５に記載のＩＯＨ。
【請求項２７】
請求項１〜２６のいずれか１項で規定される成分（ｉ）と（ｉｉ）又はそれらの構成成分を１つ又は複数の工程で混合することを含む、請求項１〜２６のいずれか１項で規定されるＩＯＨの調製方法。
【請求項２８】
前記混合が、溶融、溶液又は粉末処理を用いて達成される、請求項２７に記載の方法。
【請求項２９】
請求項１〜２６のいずれか１項で規定されるＩＯＨの耐火材料としての使用。
【請求項３０】
（ｉ）  請求項１〜２６のいずれか１項で規定されるＩＯＨ；及び
（ｉｉ）１つ又は複数の難燃剤
を含む、耐火配合物。
【請求項３１】
前記難燃剤が、リン誘導体、窒素含有誘導体、ホウ酸塩官能基を含有する分子、２つ以上のアルコール基を含有する分子、吸熱的に不燃性分解ガスを放出する分子及び膨張性黒鉛から選択された、請求項３０に記載の配合物。
【請求項３２】
前記リン誘導体が、リン酸メラミン、リン酸ジメラミン、ポリリン酸メラミン、リン酸アンモニア、ポリリン酸アンモニア、リン酸ペンタエリトリトール、亜リン酸メラミン及びトリフェニルホスフィンから選択された、請求項３１に記載の配合物。
【請求項３３】
前記窒素含有誘導体が、メラミン、シアヌル酸メラミン、フタル酸メラミン、メラミンフタルイミド、メラム、メレム、メロン、シアヌル酸メラム、シアヌル酸メレム、シアヌル酸メロン、ヘキサメチレンテトラアミン、イミダゾール、アデニン、グアニン、シトシン及びチミンから選択された、請求項３１又は３２に記載の配合物。
【請求項３４】
前記ホウ酸塩官能基を含有する分子が、ホウ酸アンモニア及びホウ酸亜鉛から選択された、請求項３１〜３３のいずれか１項に記載の配合物。
【請求項３５】
前記２つ以上のアルコール基を含有する分子が、ペンタエリトリトール、ポリエチレンアルコール、ポリグリコール及び炭水化物から選択された、請求項３１〜３４のいずれか１項に記載の配合物。
【請求項３６】
前記吸熱的に不燃性分解ガスを放出する分子が、水酸化マグネシウム及び水酸化アルミニウムから選択された、請求項３１〜３５のいずれか１項に記載の配合物。
【請求項３７】
請求項１〜２６のいずれか１項で規定される成分（ｉ）と（ｉｉ）又はそれらの構成成分を１つ又は複数の工程で混合することを含む、請求項３０〜３６のいずれか１項で規定される耐火配合物の調製方法。
【請求項３８】
前記混合が、溶融、溶液又は粉末処理を用いて達成される、請求項３７に記載の方法。
【請求項３９】
前記混合が、二軸スクリュー押出機若しくはバッチミキサーにおける溶融処理；又は高せん断粉体ミキサー若しくは粉砕処置を用いた粉末処理によって達成される、請求項３７又は３８に記載の方法。
【請求項４０】
（Ａ）（ｉ）  請求項１〜２６のいずれか１項で規定されるＩＯＨ；及び
（ｉｉ）ポリアミド系マトリックス；又は
（Ｂ）（ｉ）  請求項３０〜３６のいずれか１項で規定される耐火配合物；及び
（ｉｉ）ポリアミド系マトリックス
のいずれかを含む、ポリアミド耐火配合物。
【請求項４１】
前記ポリアミド系マトリックスが、ナイロン４、ナイロン６、ナイロン７、ナイロン１１、ナイロン１２、ナイロン４６、ナイロン６６、ナイロン６８、ナイロン６１０、ナイロン６１２、芳香族ポリアミド、及びそれらのコポリマー、ブレンド又はアロイから選択されたアミドに基づく反復単位を有する一般基を含む、請求項４０に記載の配合物。
【請求項４２】
前記ポリアミド系マトリックスが、ナイロン１２、ナイロン６、ナイロン６６、及びそれらのコポリマー、アロイ又はブレンドから選択された、請求項４０又は４１に記載の配合物。
【請求項４３】
１つ又は複数の添加剤をさらに含む、請求項４０〜４２のいずれか１項に記載の配合物。
【請求項４４】
前記添加剤が、ポリマー安定剤；滑剤；酸化防止剤；顔料、染料又は材料の光学的性質若しくは色を変える他の添加剤；導電性の充填剤又は繊維；剥離剤；スリップ剤；可塑剤；抗細菌剤又は抗真菌剤；及び加工剤から選択された、請求項４３に記載の配合物。
【請求項４５】
前記ポリマー安定剤が、ＵＶ、光又は熱安定剤である、請求項４４に記載の配合物。
【請求項４６】
前記加工剤が、分散試薬、発泡剤、膨張剤、界面活性剤、蝋、カップリング試薬、レオロジー調整剤、フィルム形成試薬及びフリーラジカル生成試薬から選択された、請求項４４又は４５に記載の配合物。
【請求項４７】
前記ポリアミド系マトリックスが、ナイロン１２、ナイロン６及び／又はナイロン６６であり；前記ＩＯＨが、塩酸メラミン、シアヌル酸メラミン塩酸塩、メラミン及び／又はシアヌル酸メラミンで改質したモンモリロナイト又はヘクトライトであり；前記難燃剤がシアヌル酸メラミン及び／又は水酸化マグネシウムであり；並びに前記添加剤が加工剤及び／又はポリマー安定剤である、請求項４０〜４６のいずれか１項に記載の配合物。
【請求項４８】
前記ポリアミド系マトリックスが４５〜９５％ｗ／ｗの量で存在し、前記ＩＯＨが２５％ｗ／ｗ未満の量で存在し、前記難燃剤及び／又は添加剤が３０％ｗ／ｗ未満の量で存在する、請求項４３〜４７のいずれか１項に記載の配合物。
【請求項４９】
前記ポリアミド系マトリックスが７５％ｗ／ｗを超える量で存在し、前記ＩＯＨが３％ｗ／ｗ未満の量で存在し、前記シアヌル酸メラミンの難燃剤が１１〜１５％ｗ／ｗの量で存在し、前記添加剤が４％ｗ／ｗ未満の量で存在する、請求項４３〜４８のいずれか１項に記載の配合物。
【請求項５０】
前記ポリアミド系マトリックスが７５％ｗ／ｗを超える量で存在し、前記ＩＯＨが３％ｗ／ｗ未満の量で存在し、前記シアヌル酸メラミンの難燃剤が１１〜１５％ｗ／ｗの量で存在し、前記水酸化マグネシウムの難燃剤が１〜５％ｗ／ｗ未満の量で存在し、前記添加剤が４％ｗ／ｗ未満の量で存在する、請求項４３〜４８のいずれか１項に記載の配合物。
【請求項５１】
請求項１〜２６のいずれか１項で規定されるＩＯＨ、請求項３０〜３６のいずれか１項で規定される耐火配合物又はそれらの構成成分を、前記ポリアミド系マトリックスに１つ又は複数の工程で分散させることを含む、請求項４０〜５０のいずれか１項で規定されるポリアミド耐火配合物の調製方法。
【請求項５２】
前記耐火配合物の成分の少なくとも一部が混合前に粉砕される、請求項５１に記載の方法。
【請求項５３】
前記耐火配合物の成分が２００μｍ未満の粒子サイズに粉砕される、請求項５２に記載の方法。
【請求項５４】
分散が、溶融、溶液又は粉末処理を用いて達成される、請求項５２又は５３に記載の方法。
【請求項５５】
前記分散が、単軸若しくは二軸スクリュー押出機、バッチ混合機、又は連続配合機における溶融処理によって達成される、請求項５２〜５４のいずれか１項に記載の方法。
【請求項５６】
前記溶融処理が二軸スクリュー押出機で行われる、請求項５５に記載の方法。
【請求項５７】
前記分散が、前記ＩＯＨを少なくとも部分的にナノメートルスケールで分散させるのに十分なせん断速度、せん断応力及び滞留時間で行われる、請求項５１〜５６のいずれか１項に記載の方法。
【請求項５８】
その全体又は一部が、請求項１〜２６のいずれか１項で規定されるＩＯＨ、及び／又は請求項３０〜３６及び請求項４０〜５０のいずれか１項で規定される耐火配合物から成る、耐火製品又はその部品。
【請求項５９】
輸送、建築、建設、電気又は光学の用途で使用される、請求項５８で規定される耐火製品又はその部品。
【請求項６０】
前記輸送用途が、航空、自動車、航空宇宙又は船舶である、請求項５９で規定される耐火製品又はその部品。
【請求項６１】
中空製品又はシートである、請求項５８〜６０のいずれか１項で規定される耐火製品又はその部品。
【請求項６２】
配管、ダクト、布、カーペット、ケーブル、電線、ファイバー、環境制御システム、容器のヒンジカバー、ケーブルトレイ、ＥＣＳダクトスパッド、掛け金、ブラケット、乗客用表面ユニット、及び熱可塑性積層シートから選択された、請求項５８〜６０のいずれか１項で規定される耐火製品又はその部品。
【請求項６３】
その全体又は一部が請求項４９又は５０で規定される耐火配合物から成り、回転成形又は押出によって製造された、耐火性中空製品又はその部品。
【請求項６４】
その全体又は一部が請求項４９又は５０で規定される耐火配合物から成り、溶融紡糸又は押出によって製造された、耐火性の繊維、布、カーペット又はそれらの部品。
【請求項６５】
その全体又は一部が請求項４９又は５０で規定される配合物から成り、焼結によって製造された、耐火製品又はその部品。
【請求項６６】
その全体又は一部が請求項４９又は５０で規定される耐火配合物から成り、射出又は圧縮成形によって製造された、耐火製品又はその部品。
【請求項６７】
請求項１〜２６のいずれか１項で規定されるＩＯＨ及び／又は請求項３０〜３６及び請求項４０〜４６のいずれか１項で規定される耐火配合物若しくはその構成成分を成形又は形成することを含む、請求項５４〜６６のいずれか１項で規定される耐火製品又はその部品の調製方法。
【請求項６８】
前記成形又は形成が、押出、射出成形、圧縮成形、回転成形、吹込み成形、焼結、熱成形、圧延（calending）又はそれらの組み合わせを用いて実施される、請求項６７に記載の方法。